【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信のための方法であって、
再割振りのために、第１の基地局に関連付けられた周波数分割複信（ＦＤＤ）動作モードにおける送信のために最初に割り振られたリソースのサブセットを識別することと、
前記識別されたリソースのサブセットを第２の基地局に関連付けられた時分割複信（ＴＤＤ）動作モードにおける送信のために再割り振りすることと
を備える方法。
【請求項２】
前記第２の基地局が、前記第１の基地局と同じキャリア周波数上で動作するピコｅノードＢを備える、請求項１に記載の方法。
【請求項３】
前記識別されたリソースのサブセットが、ＦＤＤモードアップリンク（ＵＬ）帯域幅の中央部分を備え、
前記第２の基地局に関連付けられた前記ＴＤＤ動作モードにおける前記送信が、ＴＤＤモードダウンリンク（ＤＬ）送信である、
請求項１に記載の方法。
【請求項４】
前記第１の基地局に関連付けられた前記ＦＤＤ動作モードにおける送信のために最初に割り振られた前記識別されたリソースのサブセットが、１つまたは複数の物理アップリンク共有チャネル（ＰＵＳＣＨ）リソースに対応する、請求項１に記載の方法。
【請求項５】
前記識別されたリソースのサブセットを前記第２の基地局に関連付けられた前記ＴＤＤ動作モードにおける送信のために再割り振りすることが、前記識別されたリソースのサブセットを前記第２の基地局に関連付けられた前記ＴＤＤ動作モードにおけるダウンリンク（ＤＬ）送信のために再割り振りすることを備える、請求項１に記載の方法。
【請求項６】
前記第１の基地局に関連付けられた前記ＦＤＤ動作モードにおけるアップリンク（ＵＬ）送信のために最初に割り振られた追加のリソースを、変化するトラフィック需要に基づいて、前記第２の基地局に関連付けられた前記ＴＤＤ動作モードにおけるダウンリンク（ＤＬ）送信のために動的に再割り振りすること
をさらに備える、請求項１に記載の方法。
【請求項７】
制御シグナリングを、前記再割り振りされたリソースのサブセットを介してデータを受信すべきユーザ機器（ＵＥ）に送信すること
をさらに備える、請求項１に記載の方法。
【請求項８】
前記第２の基地局のＣＲＳ、ＣＳＩ−ＲＳ、ＰＤＣＣＨまたはＰＤＳＣＨのうちの少なくとも１つを前記再割り振りされたリソースのサブセットにマッピングさせること
をさらに備える、請求項１に記載の方法。
【請求項９】
前記第２の基地局からの前記送信のための前記再割り振りされたリソースのサブセットが、レガシーキャリアとともに使用するためのセカンダリコンポーネントキャリアの拡張キャリアを形成する、請求項１に記載の方法。
【請求項１０】
前記第２の基地局が、前記第１の基地局と隣接するキャリア周波数上で動作するｅノードＢを備え、前記再割振りが、ＴＤＤ動作モードにおける前記第２の基地局に関連付けられた送信を前記第１の基地局に関連付けられた送信から分離するための所望のガード帯域に基づく、請求項１に記載の方法。
【請求項１１】
ワイヤレス通信のための装置であって、
再割振りのために、第１の基地局に関連付けられた周波数分割複信（ＦＤＤ）動作モードにおける送信のために最初に割り振られたリソースのサブセットを識別するための手段と、
前記識別されたリソースのサブセットを第２の基地局に関連付けられた時分割複信（ＴＤＤ）動作モードにおける送信のために再割り振りするための手段と
を備える装置。
【請求項１２】
ユーザ機器（ＵＥ）によるワイヤレス通信のための方法であって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信することと、
再割り振りされたリソースを介して時分割複信（ＴＤＤ）動作モードにおいて第２の基地局からダウンリンク送信を受信することと
を備える方法。
【請求項１３】
前記ＦＤＤ動作モードにおける前記ＵＥからの、前記第１の基地局に関連付けられたＵＬ送信のために最初に割り振られた前記リソースが、前記ＵＥから前記第１の基地局へのＦＤＤ  ＵＬ送信のためのＵＬ帯域幅の中央部分を備える、請求項１２に記載の方法。
【請求項１４】
ワイヤレス通信のための装置であって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信するための手段と、
再割り振りされたリソースを介して時分割複信（ＴＤＤ）動作モードにおいて第２の基地局からダウンリンク送信を受信するための手段と
を備える装置。
【請求項１５】
請求項１乃至１０または請求項１２乃至１３のいずれかの方法に記載のステップを行うための命令を備える、コンピュータプログラム。
【手続補正２】
【補正対象書類名】明細書
【補正対象項目名】０１１５
【補正方法】変更
【補正の内容】
【０１１５】
[0132]本開示の前述の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明する例および設計に限定されるべきでなく、本明細書で開示する原理および新規の特徴に一致する最も広い範囲を与えられるべきである。
以下に本願の出願当初の特許請求の範囲に記載された発明を付記する。
［Ｃ１］
ネットワークエンティティによるワイヤレス通信のための方法であって、
再割振りのために、第１の基地局に関連付けられた周波数分割複信（ＦＤＤ）動作モードにおける送信のために最初に割り振られたリソースのサブセットを識別することと、    前記識別されたリソースのサブセットを第２の基地局に関連付けられた時分割複信（ＴＤＤ）動作モードにおける送信のために再割り振りすることと
を備える方法。
［Ｃ２］
前記第２の基地局が、前記第１の基地局と同じキャリア周波数上で動作するピコｅノードＢを備える、Ｃ１に記載の方法。
［Ｃ３］
前記識別されたリソースのサブセットが、ＦＤＤモードアップリンク（ＵＬ）帯域幅の中央部分を備え、
前記第２の基地局に関連付けられた前記ＴＤＤ動作モードにおける前記送信が、ＴＤＤモードダウンリンク（ＤＬ）送信である、
Ｃ１に記載の方法。
［Ｃ４］
前記第１の基地局に関連付けられた前記ＦＤＤ動作モードにおける送信のために最初に割り振られた前記識別されたリソースのサブセットが、１つまたは複数の物理アップリンク共有チャネル（ＰＵＳＣＨ）リソースに対応する、Ｃ１に記載の方法。
［Ｃ５］
前記第１の基地局に関連付けられた前記ＦＤＤ動作モードにおける送信のために割り振られた残りのアップリンク（ＵＬ）リソースを前記識別されたリソースのサブセットから分離するために、１つまたは複数のガード帯域を用いること
をさらに備える、Ｃ４に記載の方法。
［Ｃ６］
前記識別されたリソースのサブセットを前記第２の基地局に関連付けられた前記ＴＤＤ動作モードにおける送信のために再割り振りすることが、前記識別されたリソースのサブセットを前記第２の基地局に関連付けられた前記ＴＤＤ動作モードにおけるダウンリンク（ＤＬ）送信のために再割り振りすることを備える、Ｃ１に記載の方法。
［Ｃ７］
前記第１の基地局に関連付けられた前記ＦＤＤ動作モードにおけるアップリンク（ＵＬ）送信のために最初に割り振られた追加のリソースを、変化するトラフィック需要に基づいて、前記第２の基地局に関連付けられた前記ＴＤＤ動作モードにおけるダウンリンク（ＤＬ）送信のために動的に再割り振りすること
をさらに備える、Ｃ１に記載の方法。
［Ｃ８］
制御シグナリングを、前記再割り振りされたリソースのサブセットを介してデータを受信すべきユーザ機器（ＵＥ）に送信すること
をさらに備える、Ｃ１に記載の方法。
［Ｃ９］
前記制御シグナリングが、無線リソース制御（ＲＲＣ）シグナリングおよびＬ１シグナリングのうちの少なくとも１つを使用して送信される、Ｃ８に記載の方法。
［Ｃ１０］
前記第２の基地局のＣＲＳ、ＣＳＩ−ＲＳ、ＰＤＣＣＨまたはＰＤＳＣＨのうちの少なくとも１つを前記再割り振りされたリソースのサブセットにマッピングさせること
をさらに備える、Ｃ１に記載の方法。
［Ｃ１１］
前記第１の基地局に関連付けられた前記ＦＤＤ動作モードにおける送信のために最初に割り振られた前記リソースのサブセットが、複数の予約済みサブフレームを備え、前記識別されたリソースのサブセットが、前記複数の予約済みサブフレームのサブセットを備える、Ｃ１に記載の方法。
［Ｃ１２］
前記予約済みサブフレームが、前記第１の基地局に関連付けられたオールモストブランクサブフレーム（ＡＢＳ）に対応する、Ｃ１１に記載の方法。
［Ｃ１３］
前記識別されたリソースのサブセットの１つまたは複数の部分が、時間期間、アップリンク（ＵＬ）制御要件、ＵＬトラフィック要件、ダウンリンク（ＤＬ）制御要件、ＤＬトラフィック要件、およびサービス品質要件のうちの少なくとも１つに基づいて再割り振りされる、Ｃ１１に記載の方法。
［Ｃ１４］
前記第１の基地局に関連付けられた前記ＦＤＤ動作モードにおける送信のために最初に割り振られた前記識別されたリソースのサブセットが、前記第１の基地局に関連付けられた送信のために最初に割り振られたアップリンク（ＵＬ）サブフレームに関連付けられた１つまたは複数のシンボルを含む、Ｃ１に記載の方法。
［Ｃ１５］
前記第１の基地局に関連付けられた前記ＦＤＤ動作モードにおける送信のために最初に割り振られた前記識別されたリソースのサブセットが、１つのＵＬサブフレームに関連付けられた１つまたは複数のシンボルを含み、前記識別することおよび前記再割り振りすることが、サブフレームごとに実行され、前記再割り振りすることが、ＵＬ制御要件、ＵＬトラフィック要件、ＤＬ制御要件、ＤＬトラフィック要件、およびサービス品質要件のうちの少なくとも１つに基づく、Ｃ１４に記載の方法。
［Ｃ１６］
前記第２の基地局からの前記送信のための前記再割り振りされたリソースのサブセットが、レガシーキャリアとともに使用するためのセカンダリコンポーネントキャリアの拡張キャリアを形成する、Ｃ１に記載の方法。
［Ｃ１７］
前記第２の基地局が、前記第１の基地局と隣接するキャリア周波数上で動作するｅノードＢを備え、前記再割振りが、ＴＤＤ動作モードにおける前記第２の基地局に関連付けられた送信を前記第１の基地局に関連付けられた送信から分離するための所望のガード帯域に基づく、Ｃ１に記載の方法。
［Ｃ１８］
前記第２の基地局が、前記第１の基地局と同じキャリア周波数上で動作するｅノードＢまたは前記第１の基地局と隣接するキャリア周波数上で動作するｅノードＢを備える、Ｃ１に記載の方法。
［Ｃ１９］
ワイヤレス通信のための装置であって、
プロセッサと、
前記プロセッサと電子通信しているメモリと、
前記メモリに記憶された１つまたは複数の命令とを備え、前記１つまたは複数の命令が、前記プロセッサによって、
再割振りのために、第１の基地局に関連付けられた周波数分割複信（ＦＤＤ）動作モードにおける送信のために最初に割り振られたリソースのサブセットを識別し、
前記識別されたリソースのサブセットを第２の基地局に関連付けられた時分割複信（ＴＤＤ）動作モードにおける送信のために再割り振りする
ように実行可能である、
装置。
［Ｃ２０］
前記識別されたリソースのサブセットが、ＦＤＤモードアップリンク（ＵＬ）帯域幅の中央部分を備え、
前記ＴＤＤ動作モードにおける前記第２の基地局に関連付けられた前記送信が、ＴＤＤモードダウンリンク（ＤＬ）送信である、
Ｃ１９に記載の装置。
［Ｃ２１］
前記ＦＤＤ動作モードにおける前記第１の基地局に関連付けられた送信のために最初に割り振られた前記識別されたリソースのサブセットが、１つまたは複数の物理アップリンク共有チャネル（ＰＵＳＣＨ）リソースに対応する、Ｃ１９に記載の装置。
［Ｃ２２］
前記メモリが、前記プロセッサによって、
前記第１の基地局に関連付けられた前記ＦＤＤ動作モードにおける送信のために割り振られた残りのアップリンク（ＵＬ）リソースを前記識別されたリソースのサブセットから分離するために、１つまたは複数のガード帯域を用いる
ように実行可能である１つまたは複数の命令をさらに備える、Ｃ２１に記載の装置。
［Ｃ２３］
前記識別されたリソースのサブセットを前記第２の基地局に関連付けられた前記時分割複信（ＴＤＤ）動作モードにおける送信のために再割り振りするための前記１つまたは複数の命令が、前記識別されたリソースのサブセットを前記第２の基地局に関連付けられた前記時分割複信（ＴＤＤ）動作モードにおけるダウンリンク（ＤＬ）送信のために再割り振りするための１つまたは複数の命令を備える、Ｃ１９に記載の装置。
［Ｃ２４］
前記メモリが、前記プロセッサによって、
制御シグナリングを、前記再割り振りされたリソースのサブセットを介してデータを受信すべきユーザ機器（ＵＥ）に送信する
ように実行可能である１つまたは複数の命令をさらに備える、Ｃ１９に記載の装置。
［Ｃ２５］
前記第１の基地局に関連付けられた前記ＦＤＤ動作モードにおける送信のために最初に割り振られた前記リソースのサブセットが、複数の予約済みサブフレームを備え、前記識別されたリソースのサブセットが、前記複数の予約済みサブフレームのサブセットを備える、Ｃ１９に記載の装置。
［Ｃ２６］
前記メモリが、前記プロセッサによって、
時間期間、アップリンク（ＵＬ）制御要件、ＵＬトラフィック要件、ダウンリンク（ＤＬ）制御要件、ＤＬトラフィック要件、およびサービス品質要件のうちの少なくとも１つに基づいて、前記識別されたリソースのサブセットを再割り振りする
ように実行可能である１つまたは複数の命令をさらに備える、Ｃ２５に記載の装置。
［Ｃ２７］
前記第１の基地局に関連付けられた前記ＦＤＤ動作モードにおける送信のために最初に割り振られた前記識別されたリソースのサブセットが、前記第１の基地局に関連付けられた送信のために最初に割り振られたアップリンク（ＵＬ）サブフレームに関連付けられた１つまたは複数のシンボルを含む、Ｃ１９に記載の装置。
［Ｃ２８］
ユーザ機器（ＵＥ）によるワイヤレス通信のための方法であって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信することと、
再割り振りされたリソースを介して時分割複信（ＴＤＤ）動作モードにおいて第２の基地局からダウンリンク送信を受信することと
を備える方法。
［Ｃ２９］
前記ＦＤＤ動作モードにおける前記ＵＥからの、前記第１の基地局に関連付けられたＵＬ送信のために最初に割り振られた前記リソースが、前記ＵＥから前記第１の基地局へのＦＤＤ  ＵＬ送信のためのＵＬ帯域幅の中央部分を備える、Ｃ２８に記載の方法。
［Ｃ３０］
ワイヤレス通信のための装置であって、
プロセッサと、
前記プロセッサと電子通信しているメモリと、
前記メモリに記憶された１つまたは複数の命令とを備え、前記１つまたは複数の命令が、前記プロセッサによって、
周波数分割複信（ＦＤＤ）動作モードにおける前記ＵＥから、第１の基地局に関連付けられたアップリンク（ＵＬ）送信のために最初に割り振られたリソースの再割振りに関する制御シグナリングを受信し、
再割り振りされたリソースを介して時分割複信（ＴＤＤ）動作モードにおいて第２の基地局からダウンリンク送信を受信する
ように実行可能である、
装置。